【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
少なくとも１つの架橋剤と、多糖から作製可能であり以下の式（５）により表される二環式エーテルジオール残基およびポリオール残基を含むポリカーボネートとを含むコーティング組成物であって、前記ポリカーボネートは、ポリマー１ｇあたり０．２〜５ｍｍｏｌのヒドロキシル基を有する、コーティング組成物。
【化１】
2010539264.tif 000001
【請求項２】
請求項１に記載のコーティング組成物であって、前記ポリカーボネートは、ポリマー１ｇあたり０．４〜１．５ｍｍｏｌのヒドロキシル基を有する、コーティング組成物。
【請求項３】
請求項１または２に記載のコーティング組成物であって、前記ポリカーボネートは、数平均分子量１０００〜１００００ｇ／ｍｏｌを有する、コーティング組成物。
【請求項４】
請求項１ないし３の何れか一項に記載のコーティング組成物であって、前記エーテルジオール残基は以下の何れかの分子から誘導される、コーティング組成物。
【化２】
2010539264.tif 000002
【化３】
2010539264.tif 000003
【化４】
2010539264.tif 000004
【請求項５】
請求項１ないし４の何れか一項に記載のコーティング組成物であって、エーテルジオール残基の量は前記ポリカーボネートの３０〜９５重量％である、コーティング組成物。
【請求項６】
請求項１ないし５の何れか一項に記載のコーティング組成物であって、前記ポリオール残基は、ジオールおよび３から６個のＯＨ基を有するポリオールの混合物を含む脂肪族ポリオールから誘導される、コーティング組成物。
【請求項７】
請求項６に記載のコーティング組成物であって、ジオールと３から６個のＯＨ基を有するポリオールとの間の比は４〜５０である、コーティング組成物。
【請求項８】
請求項６または７に記載のコーティング組成物であって、前記ジオールは、エチレングリコール、ジエチレングリコール、ポリエチレングリコール、プロピレングリコール、ジプロピレングリコール、ポリプロピレングリコール、１，５−ペンタンジオール、シクロヘキサンジオール、シクロヘキサンジメタノール、プロパン−１，２−ジオール、プロパン−１，３−ジオール、ブタン−１，２−ジオール、ブタン−１，３−ジオール、ブタン−１，４−ジオール、ブタン−２，３−ジオール、２，２−ジメチル−１，３−プロパンジオール（＝ネオペンチルグリコール）ヘキサン−２，５−ジオール、ヘキサン−１，６−ジオール、２，２−ビス−（４−ヒドロキシ−シクロヘキシル）−プロパン（水素化ビスフェノールＡ）、２，２−ビス［４−（２−ヒドロキシエトキシ）−フェニル］プロパン、ネオペンチルグリコールのヒドロキシピバル酸エステル、ブチルエチルプロパンジオール、エチルメチルプロパンジオール、水素化ビスフェノールＡ、２，２−ビス−（２−ヒドロキシエトキシ）フェニルプロパン及び２，２−ビス−２−ヒドロキシプロポキシフェニルプロパンからなる群から選択される、コーティング組成物。
【請求項９】
請求項６ないし８の何れか一項に記載のコーティング組成物であって、３から６個のＯＨ基を有する前記ポリオールは、トリメチロールプロパン、トリメチロールエタン、ペンタエリスリトール、１，３，５−シクロヘキサントリオール、グリセロール及びソルビトールからなる群から選択される、コーティング組成物。
【請求項１０】
請求項１ないし９の何れか一項に記載のコーティング組成物であって、当該コーティング組成物は粉末コーティング組成物であり、当該粉末コーティング組成物のガラス転移温度（Ｔｇ）は２０℃より高く、Ｔｇは加熱速度１０℃／分の示差走査熱量測定で決定される、コーティング組成物。
【請求項１１】
請求項１０に記載の粉末コーティング組成物であって、ヒドロキシル基と反応可能な前記架橋剤の基はイソシアネート基である、コーティング組成物。
【請求項１２】
請求項１１に記載の粉末コーティング組成物であって、前記架橋剤のイソシアネート官能性は２〜６である、コーティング組成物。
【請求項１３】
請求項１１または１２に記載の粉末コーティング組成物であって、イソシアネート基を有する前記架橋剤は６個より多い原子を持つ脂肪鎖を有し、前記原子は炭素原子、窒素原子、硫黄原子、酸素原子およびリン原子からなる群から選択される、コーティング組成物。
【請求項１４】
請求項１１ないし１３の何れか一項に記載の粉末コーティング組成物であって、前記架橋剤は阻害剤で阻害され、前記阻害剤は、カプロラクタム、イミダゾール、トリアゾール、ベンゾトリアゾール、ピラゾール、オキシム、エチルアセトアセテート、ヒドロキシアミン、イミド、Ｎ−ヒドロキシルイミド、フェノール、シクロヘキサノールおよびマロン酸エステルからなる群から選択される、コーティング組成物。
【請求項１５】
請求項１１ないし１４の何れか一項に記載の粉末コーティング組成物であって、前記架橋剤はカプロラクタムでブロックされたジイソシアネートまたはトリイソシアネートであり、前記ジイソシアネートまたはトリイソシアネートは、カプロラクタム、イミダゾール、トリアゾール、ベンゾトリアゾール、ピラゾール、オキシム類、アセト酢酸エチル、ヒドロキシアミン、イミド、Ｎ−ヒドロキシイミド、フェノール、シクロヘキサノール及びマロン酸エステルからなる群から選択される、コーティング組成物。
【請求項１６】
請求項１０ないし１５の何れか一項に記載の粉末コーティング組成物を硬化する方法であって、前記粉末コーティング組成物は、硬化時間１〜１５分、温度１３５℃〜２５０℃で硬化される、方法。
【請求項１７】
溶媒性または水性のコーティング組成物である、請求項１ないし９の何れか一項に記載のコーティング組成物。
【請求項１８】
請求項１７に記載のコーティング組成物であって、当該コーティング組成物は水性系であり、上記式（５）を有するＯＨ官能性ポリカーボネートと、ポリアクリレートと、架橋剤として有機ポリイソシアネートとを含む、コーティング組成物。
【請求項１９】
請求項１７または１８に記載のコーティング組成物であって、前記ポリイソシアネートは２．５〜５の平均ＮＣＯ官能性を有する、コーティング組成物。
【請求項２０】
請求項１９に記載のコーティング組成物であって、前記ポリイソシアネートは、１，６−ヘキサンジイソシアネート、２，４−トルエンジイソシアネート、２，６−トルエンジイソシアネート、  ジフェニルメタン−ジイソシアネート、  １，４−ジイソシアネートブタン、１，５−ジイソシアネート−２，２−ジメチルペンタン、２，２，４−トリメチル−１，６−ジイソシアネートヘキサン、１，１０−ジイソシアネートデカン、４，４−ジイソシアネート−シクロヘキサン、２，４−ヘキサヒドロトルエンジイソシアネート、２，６−ヘキサヒドロトルエンジイソシアネート、ノルボルナンジイソシアネート、１，３−キシリレンジイソシアネート、１，４−キシリレンジイソシアネート、１−イソシアネート−３−（イソシアネートメチル）−１−メチルシクロヘキサン、ｍ−α，α−α’，α’−テトラメチル  キシリレンジイソシアネート、１，８−ジイソシアネート−４−（イソシアネートメチル）オクタン、イソフォロンジイソシアネート又はビス（イソシアネート  シクロヘキシル）メタン及びこれらの誘導体並びにこれらの混合物からなる群から選択される、コーティング組成物。
【請求項２１】
請求項１７ないし２０の何れか一項に記載のコーティング組成物であって、前記ポリイソシアネートは、固体ポリイソシアネート化合物に対して１〜３０重量％の非イオン基を有する、コーティング組成物。
【請求項２２】
請求項１７ないし２１の何れか一項に記載のコーティング組成物であって、多価アルコールである反応性希釈剤を含み、前記多価アルコールは、エチレングリコール、ジエチレングリコール、プロピレングリコール、異性体ブタンジオール、ポリエチレン酸化物グリコール又はポリプロピレン酸化物グリコール、トリメチロールプロパン、ペンタエリスリトール、グリセロール及びこれらの混合物からなる群から選択される、コーティング組成物。
【手続補正２】
【補正対象書類名】明細書
【補正対象項目名】発明の名称
【補正方法】変更
【補正の内容】
【発明の名称】コーティング組成物及びこれを硬化する方法